(57)【要約】【課題】従来、部屋ごとに設けたカラオケをカプセル状の快適な音響空間からなる小部屋内で唄えるようにすることにより、従来の一部屋内に、多数のカラオケ部屋を設置でき、さらには、スーパーマーケットやゲームセンター等の店舗内でも、ゲーム機の感覚で設置することができ、簡単にカラオケが歌える簡易カラオケを始めとして、インターネット利用、音楽・映像鑑賞用の多目的カプセルを開発・提供することにある。【解決手段】部屋（Ｘ）内に、カプセル状の小部屋（１）を、一又は複数個設置し、該小部屋（１）内をカラオケボックスとし、該小部屋（１）には、開閉ドア（３）を形成し、該小部屋（１）内に、カラオケ演奏に必要な音響機器、ヘッドホン（15）を設けたことを特徴とする請求項１記載の簡易カラオケ及び多目的に利用可能なカプセル。【選択図】          図２
2004198501.tif 000002
【特許請求の範囲】
【請求項１】
部屋（Ｘ）内に、カプセル状の小部屋（１）を、一又は複数個設置し、該小部屋（１）内をカラオケボックスとしたことを特徴とする簡易カラオケ及び多目的に利用可能なカプセル。
【請求項２】
カプセル状の小部屋（１）には、開閉ドア（３）を形成し、該小部屋（１）内に、カラオケ演奏に必要な音響機器、ヘッドホン（１５）を設けたことを特徴とする請求項１記載の簡易カラオケ及び多目的に利用可能なカプセル。
【請求項３】
カプセル状の小部屋（１）には、メンテナンス用のハッチ（４）を設けたことを特徴とする請求項１または２記載の簡易カラオケ及び多目的に利用可能なカプセル。
【請求項４】
カプセル状の小部屋（１）内では、カラオケ演奏の音楽をヘッドホン（１５）で聞き、マイクロホン（１６）を用いて、あるいは用いないで唄うことを特徴とする請求項１または２または３項記載の簡易カラオケ及び多目的に利用可能なカプセル。
【請求項５】
カプセル状の小部屋（１）が、略たまご状であり、一人あるいは小人数用の座席シートを設けたことを特徴とする請求項１または２または３または４項記載の簡易カラオケ及び多目的に利用可能なカプセル。
【発明の詳細な説明】
【０００１】
【発明の属する技術分野】
この発明は、簡易カラオケ及びインターネット利用、音楽鑑賞、映像鑑賞等の多目的に利用可能なカプセルに関するものである。
【０００２】
【従来の技術】
従来、カラオケで唄うカラオケボックスあるいはカラオケハウスは、戸建ての部屋、あるいは、ビル等の部屋内の空間を、複数の部屋に区切っており、それぞれの仕切られた部屋内に、それぞれ音響機器類を設置して、この音響機器類からの演奏音楽の伴奏を耳で聴きながら、マイクロホンを使って、音声を増幅して歌うものである。
【０００３】
そのため、これら各部屋には、それぞれ隣室からの音声が互いに聞こえないように、壁・天井や床等に防音工事を施す必要があり、さらに、近隣に対しても、各部屋からの騒音が外部に漏れることを防止する必要がおり、そのため、施工作業に時間がかかり、しかも、工事が煩雑であり、工事に要する費用も高いという欠点があった。
【０００４】
さらに、本来、カラオケは、各部屋毎で歌うという概念が強く、即ち、一部屋をカラオケルームに用いると、広い占有面積が必要となり、少人数の利用では、設備に費用がかかる割合には客単価の低く、飲食物のサービスをすることにより、長時間の利用を期待することが多く、そのため、それに要する人員を必要とし、人件費にもコストがかかるものであった。
【０００５】
【発明が解決しようとする課題】
そこでこの発明は、上記の欠点を除去し、従来、部屋ごとに設けたカラオケをカプセル状の快適な音響空間からなる小部屋内で唄えるようにすることにより、従来の一部屋内に、多数のカラオケ部屋を設置でき、さらには、スーパーマーケットやゲームセンター等の店舗内でも、ゲーム機の感覚で設置することができ、簡単にカラオケが歌える簡易カラオケを始めとして、インターネット利用、音楽・映像鑑賞用の多目的カプセルを開発・提供することにある。
【０００６】
【課題を解決する為の手段】
そのため、この発明は、カラオケ室を、防音素材を用いたカプセル状の小部屋内に設け、音響機器からヘッドホンを介して伴奏を聞きながら、マイクロホンを用いて、あるいは用いないで、所謂，アカペラで歌うことを特徴とし、さらには、必要な機器を設置・接続することにより、インターネット利用、音楽鑑賞・映像鑑賞等の多目的に利用可能なカプセルである。
【０００７】
【発明の実施の形態】
次に、この発明の一実施例を図１〜４に従って詳述すると、部屋（Ｘ）内に、カプセル状の小部屋（１）を、一又は複数個設置し、該小部屋（１）内をカラオケボックスとしたことを特徴とする簡易カラオケ等多目的に利用可能なカプセルから構成される。
【０００８】
該カプセル状の小部屋（１）の具体的な大きさの一例を述べると、長さ２３２８ｍｍ（室内長１１４７ｍｍ）、幅１７０５ｍｍ（室内最大幅１５５１ｍｍ）、高さ１３８３ｍｍ（室内高１２４２ｍｍ）定義のものである。
【０００９】
そして、前記カプセル状の小部屋（１）の素材の一例としては、ＦＲＰ製等の防音素材であり、自動車のキャビネットや飛行機のコックピットのように形成し、カプセル状の小部屋（１）の底部には、固定用脚部（２）をそれぞれ設けて、床面に安定して設置でき、該小部屋（１）の室内への出入りには開閉ドア（３）を形成し、また、メンテナンス用ハッチ（４）を設けることもできる。
【００１０】
さらに、カプセル状の小部屋（１）は、内部で快適に過ごせるよう、吸気孔（１７）、排気孔（１８）を設け、通気孔（１９）も設けている。また、必要に応じて、空気清浄機や冷暖房装置（いずれも、図示せず）を設けてもよい。
【００１１】
そして、カプセル状の小部屋（１）の内壁には、ビジュアルデザインを施すことにより、快適な空間を得ることがでてき、また、把手（１３）を設けて、該把手（１３）を掴むことにより、カプセル状の小部屋への出入が楽にできるよう構成しており、さらに、窓（２０）も設けている。
【００１２】
また、カプセル状の小部屋（１）内の一例を説明すると、カプセル状の小部屋が、たまご状であり、一人あるいは二人用の座席シート（１１）が設けられ、該座席シートはバックシート（１２）が倒れる角度の位置が調節できるリクライニング式となっており、スイッチ（１４）を作動することによって、楽な姿勢で歌うことが可能である。
【００１３】
そして、該小部屋（１）内の、カラオケ演奏に必要な音響機器とは、モニター（５）、ＭＤレコーダー（６）、ボイスコントローラー（７）、通信カラオケユニット（８）等をいい、さらに、選曲用のハンディータイプのリモートコントローラ（２１）を設け、手元で操作できるものである。
【００１４】
また、このカプセル状の小部屋（１）を、インターネット利用をする場合には、パソコンを始めとして必要な機器を設け、また、音楽・映像鑑賞室として利用する際には、ＣＤ、ＭＤ並びに、プレーヤーや、ビデオテープ、ビデオデッキ等の必要な機器を設けることにより可能となるものである。
【００１５】
さらに、カプセル状の小部屋（１）内には、音響機器類と、座席側との境に隔壁（９) を設けて、音響機器類がいたずらされることを防止することもでき、また、清涼飲料のカンやボトルが倒れないよう嵌着するドリンクホルダー（１０）を設け、ヘッドホン（１５）や前記選曲用のハンディータイプのリモートコントローラ（２１）やマイクロホン（１６）を載置するトレーを設けてもよい。
る。
【００１６】
【発明の効果】
この発明によると、図５に示すように、部屋（Ｘ）内に、カプセル状の小部屋（１）を、一又は複数個設置し、該小部屋内をカラオケボックスとしたことにより、一定の空間内に、多数のカラオケ室を設けることができ、従来の部屋に比べて同一空間を有効に使用でき、経済的な効果を有するものである。
【００１７】
さらに、従来の部屋であったカラオケボックスを、カプセル状の小部屋（１）にコンパクトに形成することにより、小部屋内部での操作が、手の届く範囲で、しかも、座ったままで行え、便利であると共に、小部屋内のため、周囲を気にせず安心、あるいは落ち着いて歌を唄ったり、インターネットを利用したり、音楽・映像を鑑賞することができる。
【００１８】
また、カプセル状の小部屋（１）内では、カラオケ演奏の音楽をヘッドホン（１５）で聞き、マイクロホン（１６）を用いて歌うことにより、唄はヘッドホン（１５）を通して聞こえ、外部には、増幅されない声（所謂，アカペラ）が流れるだけであり、騒音等の問題がない。
【００１９】
さらに、カプセル状の小部屋（１）内では、必要な機器を設けることにより、音楽の鑑賞室として利用してもよく、ビデオ等の映像の鑑賞室として使用してもよいことは、もちろんである。
【００２０】
そして、カプセル状の小部屋（１）が、略たまご状であり、一人あるいは二人用であることにより、デパートやスーパー等に設置しても、また、ゲームセンター等の他のゲーム機器や遊戯具等に混じって設置しても、全く、違和感はなく、一人でも、恋人等のカップルでも楽しく利用できる等極めて有益なる効果を奏するものである。
【図面の簡単な説明】
【図１】この発明の一実施例を示す側面図である。
【図２】この発明の一実施例を示す縦断面図である。
【図３】この発明の一実施例を示す図１中のＡ−Ａ断面図である。
【図４】この発明の一実施例を示す図１中のＢ−Ｂ断面図である。
【図５】この発明の実施状態を示す説明図である。
【符号の説明】
１  カプセル状の小部屋
２  固定用脚部
３  開閉ドア
４  メンテナンス用ハッチ
５  モニター
６  ＭＤレコーダー
７  ボイスコントローラ
８  通信カラオケユニット
９  隔壁
１０  ドリンクホルダー
１１  座席シート
１２  バックシート
１３  把手
１４  スイッチ
１５  ヘッドホン
１６  マイクロホン
１７  吸気孔
１８  排気孔
１９  通気孔
２０  窓
２１  リモートコントローラ
Ｘ  部屋
【図１】
2004198501.tif 000003
【図２】
2004198501.tif 000004
【図３】
2004198501.tif 000005
【図４】
2004198501.tif 000006
【図５】
2004198501.tif 000007